(57)【要約】【課題】ハウジングに光学素子の取付け方法に関する装置を提供する。【解決手段】光学素子２とハウジング内部側面を基準とする基準面６ａ、６ｂとハウジング６の底面には支持部と前記基準面６ａ、６ｂに光学素子２を押圧する押圧部材７とを設け、光学素子２の底面９はハウジング底面に設けられた複数の極小面または点接触面の支持部材６ｈ、６ｉで支持し、光学素子側面８は基準面６ａ、６ｂに密着固定するとともに押圧部材７により押圧して取付けるようにしたものである。【選択図】　　図１
2004054006.tif 000002
【特許請求の範囲】
【請求項１】
半導体レーザーから放射されるレーザー光が入射し、少なくとも一方の面がミラー面となる平行平板状の光学素子をハウジングに取付ける装置において、光学素子とハウジング内部側面を基準とする基準面とハウジングの底面には支持部と前記基準面に光学素子を押圧する押圧部材とを設け、光学素子の底面はハウジング底面に設けられた複数の極小面または点接触面の支持部材で支持し、光学素子側面は基準面に密着固定するとともに押圧部材により押圧して取付けられることを特徴とする光学素子の取付け装置。
【発明の詳細な説明】
【０００１】
【発明の属する技術分野】
本発明は、光ピックアップの内部に配置される光学素子が衝撃や温度変化による光学素子の傾きの発生を防止する光学素子の取付装置に関する。
【０００２】
【従来の技術】
ディスク等の信号記録媒体に対して光学的に信号の読み取り、あるいは書き込みを行う光学ヘッドは、通常、発光素子である半導体レーザーと光学素子であるハーフミラーとプリズム及び受光素子である光検出器が組み込まれるハウジングに、対物レンズを駆動するアクチュエータを配置して構成されている。
【０００３】
図３は光ピックアップの構成を示す概要図であり、１はレーザービームを照射するレーザーダイオード、２は入射されたレーザービームを反射及び透過に分割可能なハーフミラーなどの光学素子、３はレーザービームを収束し信号記録されているディスク４に照射する対物レンズ、５は光検出器である。
【０００４】
レーザーダイオード１から照射されたレーザービームは光学素子２にて反射され対物レンズ３により集光されてディスク４に光スポットとしてデータの書き込みや再生に用いられる。
【０００５】
前記ディスク４により反射されたレーザービームは対物レンズ３を介して光学素子２を透過し光検出器５に照射され各種信号が検出される。
【０００６】
図４は従来に係わる光学素子の取付け装置の組立完了状態を示す斜視図、図５は図４に示した断面図、図６は図４に示す説明用の断面図、６はレーザーダイオード１や光学素子２が組み込まれる樹脂製のハウジングである。
【０００７】
６ａ、６ｂは前記ハウジング６の内側面に設けられている基準面であり、前記光学素子２を取り付けられる角度が補償されている。６ｃ、６ｄは前記光学素子２の底面をハウジングの底面より突出された平面形状により支持する平面支持部である。また、レーザービームが光学素子２に照射し透過されて受光素子５に照射するための孔は記載せず。
【０００８】
６ｅ、６ｆは光学素子２をハウジング６に固定するため、板状の押圧部材７の端部を差込み固定する止め孔Ａ６ｅおよび止め孔Ｂ６ｄ、６ｇは前記ハウジング６の上面に突起して設けられ押圧部材７に設けられた止め部７ａを固定するフックである。
８は図５に示す通り光学素子２のＸ軸方向を示している側面ａであり、前記基準面６ａ、６ｂと光学素子２との接着面であり高精度に加工されている。
【０００９】
９は前記光学素子２のＺ´軸方向に設けられた底面であり、該底面９は一枚の光学素子を切断して製造するため側面ａ８に対し９０度プラスまたはマイナスの公差を有しており、光学素子２は底面９を基準として固定されると９０度プラスまたはマイナスの交差により光学性能が損なわれることとなる。１０は前記光学素子２のＸ´方向を示している側面ｂである。
【００１０】
次にハウジング６に光学素子２を組み込む場合、基準面６ａ、６ｂに接着剤を塗布し平面支持部６ｃ、６ｄ上に光学素子２の底面９を配置し側面ａ８を基準面６ａ、６ｂに押圧した状態で押圧部材７の先端を止め孔Ａ６ｅ及び止め孔Ｂ６ｆに挿入し、該止め孔Ａ６ｅ、止め孔Ｂ６ｆの他端に設けられた止め部７ａはフック６ｇに掛けることにより光学素子２を固定することができる。
【００１１】
また光学素子２の切削精度が悪く底面９が９０度より少ない光学素子２を組み込んだ状態を示す図６は、落下などの衝撃又は温度変化によりハウジングや接着剤の膨張や収縮により平面支持部６ｃ、６ｄの面に底面９の全面が当接した場合、側面ａの上部が隙間θを有することとなりレーザービームの光軸がずれることとなり光学性能が劣ることがあった。
【００１２】
【発明が解決しようとする課題】
ハウジングに光学素子は圧力を上げて押圧すると光学素子が歪むこととなり最小限度の圧力にて密着固定されている。光学素子の底面の切削された角度が９０度でない光学素子が密着固定された場合、落下などの衝撃により取り付け構造部に歪が生じることがある。又、温度変化によりハウジングや接着剤の膨張や収縮により光学素子取り付け構造部に歪が生じる場合があり、光学素子の角度が変化し光軸がずれる問題が発生し、信頼性性能の劣化を引き起こし光学性能が得られないという問題があった。
【００１３】
本発明は、斯かる問題を光学素子の底面を支持する形状を改良することにより問題解決した光学素子の取付け装置を提供しようとするものである。
【００１４】
【課題を解決するための手段】
本発明は、半導体レーザーから放射されるレーザー光が入射し、少なくとも一方の面がミラー面となる平行平板状の光学素子をハウジングに取付ける装置において、光学素子とハウジング内部側面を基準とする基準面とハウジングの底面には支持部と前記基準面に光学素子を押圧する押圧部材とを設け、光学素子の底面はハウジング底面に設けられた複数の極小面または点接触面の支持部材で支持し、光学素子側面は基準面に密着固定するとともに押圧部材により押圧して取付けようにしたものである。
【００１５】
【実施例】
図１は本発明に係る光学素子の取付け装置の組立完了状態を示す斜視図、図２は図１に示す光学素子の取付け状態を示す断面図である。
【００１６】
部品名称及び符号において、同一部品は従来の技術に使用した部品名称と符号を使用し、新規部品のみ説明するものとする。６ｈと６ｉはハウジング６の底面より突起する突起支持部材であり、光学素子２の底面９を点接触により支持するものである。
【００１７】
次にハウジング６に光学素子２を組み込む方法として、基準面６ａ、６ｂに接着剤を塗布し突起支持部材６ｈと６ｉ上に光学素子２の底面９を配置し、側面ａ８を基準面６ａ、６ｂに押圧した状態で押圧部材７の先端を止め孔Ａ６ｅ及び止め孔Ｂ６ｆに挿入し、該止め孔Ａ６ｅ、止め孔Ｂ６ｆの他端に設けられた止め部７ａをハウジング６に設けられたフック６ｇに掛けることにより光学素子２を固定することができる。
【００１８】
【発明の効果】
本発明に依れば、半導体レーザーから放射されるレーザー光が入射し、少なくとも一方の面がミラー面となる平行平板状の光学素子をハウジングに取付ける装置において、光学素子とハウジング内部側面を基準とする基準面とハウジングの底面には支持部と前記基準面に光学素子を押圧する押圧部材とを設け、光学素子の底面はハウジング底面に設けられた複数の極小面または点接触面の支持部材で支持し、光学素子側面は基準面に密着固定するとともに押圧部材により押圧して取付けられるようにしたので、落下などの衝撃に対し光学素子の底面は平面でなく極小面で支持されているので３点支持と同様に落下などの衝撃によりずれることがない。
【００１９】
また、特に樹脂製のハウジングを使用した場合、金属製に比べ温度変化による収縮や膨張が大きく形状が元にに戻らない場合があり、底面の角度がミラー面に対して直角でない場合の光学素子は底面を複数の突起した支持部である極小面で支持しており、従来方式である支持部が平面に合致し密着し光軸がずれることがなく基準面に密着されるので光学素子の性能劣化がない。
【図面の簡単な説明】
【図１】本発明に係る光学素子の取付け装置の組立完了状態を示す斜視図である。
【図２】図１に示す光学素子の取付け装置要部の状態を示す断面図である。
【図３】光ピックアップの構成を示す概要図である。
【図４】従来に係わる光学素子の取付け装置の組立完了状態を示す斜視図である。
【図５】図４に示す光学素子の取付け装置の組立完了状態の断面図である。
【図６】図４に示す説明用の断面図である。
【符号の説明】
１　　　　　レーザーダイオード
２　　　　　光学素子
６　　　　　ハウジング
６ａ　　　　基準面
６ｂ　　　　基準面
６ｈ　　　　支持部材
６ｉ　　　　支持部材
７　　　　　押圧部材
８　　　　　側面ａ
９　　　　　底面
１０　　　　側面ｂ
【図１】
2004054006.tif 000003
【図２】
2004054006.tif 000004
【図３】
2004054006.tif 000005
【図４】
2004054006.tif 000006
【図５】
2004054006.tif 000007
【図６】
2004054006.tif 000008